(57)【要約】【課題】携帯型情報端末における文字入力において、辞書を格納するために過大なメモリ容量を要することなく、各地方の方言や言い回しに対応した文字変換を可能とする。【解決手段】  改札装置２は、乗車時において乗車駅に関する情報を携帯情報端末１に記憶させる乗車処理部２３と、降車時において携帯情報端末１に記憶された乗車駅に関する情報を取得して算出された交通運賃を携帯情報端末１に通知する降車処理部２４と、地域固有辞書を蓄積する辞書蓄積部２４ｆとを備える。一方、携帯情報端末１は、地域固有辞書を蓄積する地域固有辞書蓄積部１５２ｂと、乗車駅を記憶する乗車駅記憶部１５２ａと、交通運賃について金融機関に対し決済を行う決済処理部１６１と、決済が完了した後、改札装置２側の辞書蓄積部２４ｆから文字変換用辞書を取得し、端末側の地域固有辞書蓄積部１５２ｂに保持する辞書管理部１６３とを備える。【選択図】      図１
2005346234.tif 000002
【特許請求の範囲】
【請求項１】
文字入力機能を備えた携帯情報端末であって、
前記文字入力機能において使用される文字変換用辞書を蓄積する端末側辞書蓄積部と、
乗車時において、交通機関の駅や空港等の構内又は構外に設置されて交通運賃を精算する改札装置から乗車駅に関する情報を取得し記憶する乗車駅記憶部と、
降車時において、前記改札装置から通知された交通運賃について、金融機関に対し決済を行う決済処理部と、
前記決済処理部における決済が完了した後、前記改札装置から、前記文字変換用辞書を取得し、前記端末側辞書蓄積部に保持する辞書管理部と
を備えることを特徴とする携帯情報端末。
【請求項２】
前記文字入力機能において使用される標準的な文字変換用辞書を蓄積する標準辞書蓄積部と、
前記改札装置から取得された前記文字変換用辞書、及び前記標準的な文字変換用辞書のいずれを優先的に使用するかの優先度を設定する優先順位変更部と
を備えることを特徴とする請求項１に記載の携帯情報端末。
【請求項３】
前記優先順位変更部により設定された優先度に応じて、前記文字変換用辞書を前記端末側辞書蓄積部から削除する辞書削除部を備えることを特徴とする請求項２に記載の携帯情報端末。
【請求項４】
前記改札装置から前記文字変換用辞書が取得された時点からの経過時間を計測するタイマー部を備え、
前記優先順位変更部は、前記タイマー部による計測結果に応じて、所定時間以上経過した前記文字変換用辞書の優先度を低くする
ことを特徴とする請求項２又は３に記載の携帯情報端末。
【請求項５】
当該携帯情報端末の現在位置を取得する位置情報取得部と、
前記文字変換用辞書を取得した改札装置の位置情報と、前記位置情報取得部が取得した現在位置とを比較する位置確認部とを備え、
前記優先順位変更部は、前記位置確認部による比較結果に応じて、現在位置が、前記改札装置の位置から所定距離以上離れていた場合に、前記文字変換用辞書の優先度を低くする
ことを特徴とする請求項２又は３に記載の携帯情報端末。
【請求項６】
交通機関の駅や空港等の構内又は構外に設置されて交通運賃を精算する改札装置と、文字入力機能を備えた携帯情報端末とを有する交通運賃精算システムであって、
前記改札装置は、
乗車時において、乗車駅に関する情報を前記携帯情報端末に記憶させる乗車処理部と、
降車時において、前記携帯情報端末に記憶された乗車駅に関する情報を取得し、交通運賃を算出し、算出された交通運賃を前記携帯情報端末に通知する降車処理部と、
前記文字入力機能において使用される文字変換用辞書を蓄積する改札側辞書蓄積部と、
を備え、前記携帯情報端末は、
前記文字変換用辞書を蓄積する端末側辞書蓄積部と、
乗車駅を記憶する乗車駅記憶部と、
前記降車処理部から通知された前記交通運賃について、金融機関に対し決済を行う決済処理部と、
前記決済処理部における決済が完了した後、前記改札側辞書蓄積部から前記文字変換用辞書を取得し、前記端末側辞書蓄積部に保持する辞書管理部と
を備えることを特徴とする交通運賃精算システム。
【発明の詳細な説明】
【技術分野】
【０００１】
本発明は、文字入力機能を備えた携帯電話機やＰＤＡ（Personal Digital Assistance）等の携帯型情報端末、及び、この携帯型情報端末を利用して交通機関の運賃を精算する交通運賃精算システムに関する。
【背景技術】
【０００２】
近年において、携帯電話機やＰＤＡ等の携帯型情報端末では、メール等の文字入力を行う際の文字変換は、予め移動機内部のＲＯＭ（Read Only Memory）に格納されている辞書データを用いて行われる。一般的に、このＲＯＭに格納されている辞書データは、１種類の標準的な言語（標準語）対応した辞書データのみである。このため、メール等で文字入力する際、各地方の方言や言い回しを入力し、文字変換を行うと、各地方の方言等に対応した文字変換が達成されず、ユーザーの意図に反した変換が行われる場合がある。
【０００３】
これに対して、複数の言語での通信を可能にした技術として、特許文献１に開示されたものがある。この特許文献１に開示された技術では、通信端末側に予め、ＲＯＭ等の記憶装置に複数の言語データが格納されており、基地局から送信される言語情報に基づいて、文字変換に使用する言語を選択し、その言語を利用して通信を行うことができるものである。
【特許文献１】特開平１１−８８５３０号公報
【発明の開示】
【発明が解決しようとする課題】
【０００４】
しかしながら、上述した特許文献１に開示された技術では、数種類の言語に対応させるためには、予めＲＯＭ等の記憶装置に、多数種の言語データを格納させる必要があり、メモリの容量が膨大化し、携帯型通信機器には不向きであった。
【０００５】
そこで、本発明は、上記問題を解決すべくなされたものであり、携帯型情報端末における文字入力において、辞書を格納するために過大なメモリ容量を要することなく、各地方の方言や言い回しに対応した文字変換が可能な携帯情報端末及び交通運賃精算システムを提供することを目的とする。
【課題を解決するための手段】
【０００６】
上記課題を解決するために、本発明は、交通機関の駅や空港等の構内又は構外に設置されて交通運賃を精算する改札装置と、文字入力機能を備えた携帯情報端末とを用いる。
【０００７】
詳述すると、本発明に係る前記改札装置は、乗車時において乗車駅に関する情報を携帯情報端末に記憶させる乗車処理部と、降車時において携帯情報端末に記憶された乗車駅に関する情報を取得し、交通運賃を算出し、算出された交通運賃を携帯情報端末に通知する降車処理部と、文字入力機能において使用される文字変換用辞書を蓄積する改札側辞書蓄積部とを備える。一方、本発明に係る携帯情報端末は、文字入力機能において使用される文字変換用辞書を蓄積する端末側辞書蓄積部と、乗車駅を記憶する乗車駅記憶部と、降車処理部から通知された交通運賃について金融機関に対し決済を行う決済処理部と、決済処理部における決済が完了した後、改札側辞書蓄積部から文字変換用辞書を取得し、端末側辞書蓄積部に保持する辞書管理部とを備える。
【０００８】
このような本発明によれば、交通機関の駅や空港等の構内外において乗車時に、改札装置から取得して携帯情報端末に記憶させた乗車駅に関する情報に基づいて、降車時の改札装置において交通運賃の精算を行うとともに、改札装置から取得した文字変換用辞書を自動的に携帯情報端末の辞書蓄積部に保持するため、ユーザーは、降車時の精算処理とともに、降車した駅等が属する地域特有の文字変換用辞書を、自動的に取得することができ、降車した地域固有の表現を用いた文字入力が可能となる。
【０００９】
上記発明において、携帯情報端末には、文字入力機能において使用される標準的な文字変換用辞書を蓄積する標準辞書蓄積部と、改札装置から取得された文字変換用辞書及び標準的な文字変換用辞書のいずれを優先的に使用するかの優先度を設定する優先順位変更部とを設けてもよい。この場合には、自動的に地域固有の文字変換用辞書を取得したときであっても、ユーザーの要請に応じて、標準的な辞書を優先的に使用するように設定することが可能となり、ユーザーのニーズに適切に対応した文字入力を実現することができる。
【００１０】
上記発明において、携帯情報端末には、優先順位変更部により設定された優先度に応じて、文字変換用辞書を端末側辞書蓄積部から削除する辞書削除部を設けてもよい。この場合には、地域固有の文字入力を必要としないユーザーに対しては、不要な文字変換用辞書が携帯情報端末内に蓄積されるのを回避することができ、ユーザーのニーズに応じた記憶装置の有効利用を図ることができる。
【００１１】
上記発明において、携帯情報端末には、改札装置から文字変換用辞書が取得された時点からの経過時間を計測するタイマー部を設け、タイマー部による計測結果に応じて、所定時間以上経過した文字変換用辞書の優先度を低くするようにしてもよい。この場合には、他の交通機関等によりユーザーが移動する等して、時間経過とともに使用しなくなった地域固有の文字変換用辞書の優先度を低下させることにより、ユーザーが意図しない文字変換が実行されるのを防止することができる。
【００１２】
上記発明において、携帯情報端末には、当該携帯情報端末の現在位置を取得する位置情報取得部と、文字変換用辞書を取得した改札装置の位置情報と位置情報取得部が取得した現在位置とを比較する位置確認部とを設け、位置確認部による比較結果に応じて、現在位置が、改札装置の位置から所定距離以上離れていた場合に、文字変換用辞書の優先度を低くするようにしてもよい。この場合には、他の交通機関等を利用しユーザーが移動する等して、使用しなくなった地域固有の文字変換用辞書の優先度を低下させることにより、ユーザーが意図しない文字変換が実行されるのを防止することができる。
【発明の効果】
【００１３】
以上説明したように本発明によれば、文字入力機能を備えた携帯電話機やＰＤＡ等の携帯型情報端末において、ユーザーの自発的な操作を要することなく、携帯電話機の漢字変換辞書、予測変換辞書を、地域特有のものに変更することができ、ユーザーは、駅改札を通過するだけで、方言等の地域特有の言い回しを用いた文章作成が容易となり、現地の雰囲気を醸し出した文章作成が可能となる。
【発明を実施するための最良の形態】
【００１４】
（交通運賃精算システムの全体構成）
本発明の実施形態について図面を参照しながら説明する。図１は、本実施形態に係る交通運賃精算システムの概要を示す説明図である。
【００１５】
図１（ａ）及び（ｂ）に示すように、本実施形態に係る交通運賃精算システムは、交通運賃を精算する改札装置２を、鉄道や高速道路の各駅・各料金所や各空港等の構内又は構外に設置し、携帯情報端末１を所持したユーザーが改札装置２を通過する毎に、乗車処理（乗車駅記憶）及び降車処理（精算及び地域固有辞書の書き込み）を実行する。この改札装置２では、携帯情報端末１を所持したユーザーの進行方向により乗車処理又は降車処理を選択的に実行する。例えば、ユーザーが駅構外から構内へ向かっている場合には乗車処理を行い、逆に、駅構内から構外へ向かっている場合には降車処理を行う。
【００１６】
（改札装置の構成）
図２は、改札装置２の内部構成を示す機能ブロック図である。同図（ａ）に示すように、改札装置２は、携帯情報端末１に備えられた非接触通信インターフェースとの間で通信を行う通信接続部２２と、携帯情報端末１の認証を行う認証部２１と、乗車時において乗車駅に関する情報を携帯情報端末１に記憶させる乗車処理部２３と、降車時において交通運賃を算出するとともに地域固有辞書の書き込みを行う降車処理部２４とを備えている。
【００１７】
認証部２１は、携帯情報端末１の正当性を検証するコンピュータ或いはその機能を持ったソフトウェアであり、例えば、ユーザー名とパスワードの組み合わせを携帯情報端末１から取得し、当該ユーザーを識別する。通信接続部２２は、例えば無線通信や赤外線通信等の非接触通信によりデータの送受信を行う無線通信インターフェースである。
【００１８】
乗車処理部２３は、当該改札装置２が設置された駅等を識別するための駅識別子を記憶し、通信接続部２２からの要求に応じて、この駅識別子を乗車駅に関する情報として、携帯情報端末１側に送出するモジュールである。
【００１９】
降車処理部２４は、図２（ｂ）に示すように、データの送受を行うデータ送受部２４ａと、携帯情報端末１から乗車駅に関する情報（乗車駅の駅識別子）を取得する乗車駅取得部２４ｂと、取得された乗車駅に関する情報に基づいて運賃を算出する運賃精算部２４ｃと、各路線における駅間の料金テーブルを蓄積する料金データベース２４ｄを備えている。
【００２０】
運賃精算部２４ｃは、乗車駅取得部２４ｂが取得した乗車駅の駅識別子と、当該改札装置が設置されている駅（降車駅）の識別子とに基づいて、前記料金データベース２４ｄを参照して料金を算出する。この運賃精算部２４ｃで算出された運賃は、データ送受部２４ａを通じて、携帯情報端末１側に通知される。また、運賃精算部２４ｃは、携帯情報端末１への運賃の通知と同時に、運賃の算出が完了した旨の通知を辞書書込部２４ｅに出力する。
【００２１】
また、改札装置２は、改札装置２が設置されている駅が属する地域固有の文字変換用辞書を蓄積する辞書蓄積部２４ｆと、降車処理時に携帯情報端末１側にこの地域固有文字変換用辞書を送信する辞書書込部２４ｅとを備える。この地域固有文字変換用辞書は、例えば降車駅が属する地域の方言や言い回し、特有の地名などの辞書であり、入力された標準語からこれら方言等への変換を行うためのものである。
【００２２】
（携帯情報端末の構成）
携帯情報端末１は、本実施形態では、無線通信を利用した携帯可能な電話機であり、通話やデータ通信等の通信サービスを移動しつつ受けることができ、電子メールの送受等のための文字入力機能を備えている。なお、この携帯情報端末としては、携帯電話機の他、モバイルコンピュータやＰＤＡであってもよい。
【００２３】
図３は、本実施形態に係る携帯情報端末１の内部構成を示すブロック図である。同図に示すように、携帯情報端末１は、アンテナ１０１に接続されたデュプレクサ１０２と、このデュプレクサ１０２に接続された受信系モジュール及び送信系モジュールとを備えている。また、携帯情報端末１は、改札装置２との通信を行うための非接触通信インターフェース１７５を備えている。
【００２４】
受信系モジュールとしては、低ノイズアンプ１１０、ミキサ１１１、ＩＦアンプ１１２、直交ミキサ１１３、Ａ／Ｄコンバータ１１４、復調器１１５、チャネルデコーダ１１６、音声デコーダ１１７、Ｄ／Ａコンバータ１１８、スイッチ付きアンプ１１９、及びスピーカ１２０を備えている。一方、送信系モジュールとしては、マイク１４０、アンプ１３９、Ａ／Ｄコンバータ１３８、音声エンコーダ１３７、チャネルエンコーダ１３６、変調器１３５、Ｄ／Ａコンバータ１３４、直交ミキサ１３３、ＩＦアンプ１３２、ミキサ１３１、及びパワーアンプ１３０を備えている。
【００２５】
また、携帯情報端末１は、制御系モジュールとして、シンセサイザ１０３、タイムベース１５０、ＣＰＵ１６０、ＲＡＭ１５２、ＲＯＭ１５３、ＥＥＰＲＯＭ１５１を備え、ユーザーインターフェース系モジュールとして、ジョグダイヤル１６４、ＬＣＤ１６５、番号キー１６６、ＬＥＤ１６７、タッチセンサ１６８、及びバイブレータ１７４を備え、さらに、電源系モジュールとして、電源系電池１７１、電源１７２、及びＡ／Ｄコンバータ１７３を備える。
【００２６】
前記アンテナ１０１は、電波回線を介して基地局（図示せず）に対し信号を送受信する。デュプレクサ１０２は、送受信される信号の入出力を切り替える回路であり、アンテナ１０１が受信した信号を低ノイズアンプ１１０に入力し、パワーアンプ１３０から出力された信号をアンテナ１０１に出力する。
【００２７】
受信系モジュールにおいて、低ノイズアンプ１１０は、デュプレクサ１０２から入力された信号を増幅し、ミキサ１１１に出力する。ミキサ１１１は、低ノイズアンプ１１０の出力を受け、特定の周波数だけ分離して中間周波数信号として出力する。ＩＦアンプ１１２は、ミキサ１１１から出力された中間周波数信号を増幅する。直交ミキサ１１３は、ＩＦアンプ１１２の出力を受け直交復調する。Ａ／Ｄコンバータ１１４は、直交ミキサ１１３の出力をデジタル化する。復調器１１５は、Ａ／Ｄコンバータ１１４の出力を復調する。チャネルデコーダ１１６は、復調器１１５の出力に対して誤り訂正を行う。誤り訂正を行った信号には、制御メッセージ及び音声データが含まれる。制御メッセージはＣＰＵ１６０に、音声データは音声デコーダ１１７に送出される。
【００２８】
かかるチャネルデコーダ１１６から音声デコーダ１１７に入力された信号は、音声データにデコードされ、Ｄ／Ａコンバータ１１８に受け渡される。Ｄ／Ａコンバータ１１８は音声デコーダ１１７の出力をアナログ信号に変換する。スイッチ付きアンプ１１９は、ＣＰＵ１６０からの制御信号に基づいて、適宜のタイミングで切り替えられ、スイッチＯＮの状態においてＤ／Ａコンバータ１１８の出力を増幅する。スピーカ１２０はスイッチ付きアンプ１１９の出力を増幅する。
【００２９】
一方、送信系モジュールにおいて、マイク１４０は、ユーザーからの音声信号を受け、この音声信号をアナログ信号として出力する。アンプ１３９は、マイク１４０から出力されるアナログ信号を増幅する。Ａ／Ｄコンバータ１３８は、アンプ１３９の出力をデジタル信号に変換する。音声エンコーダ１３７はＡ／Ｄコンバータ１３８の出力をコード化して圧縮し、音声データとして出力する。チャネルエンコーダ１３６は、ＣＰＵ１６０からの制御メッセージと音声エンコーダ１３７からの音声データとを合わせ、誤り訂正符号を付加する。
【００３０】
そして、変調器１３５は、チャネルエンコーダ１３６の出力を変調する。Ｄ／Ａコンバータ１３４は、変調器１３５の出力をアナログ信号に変換する。直交ミキサ１３３は、Ｄ／Ａコンバータ１３４の出力を、ＩＦ周波数信号（中間周波数信号）に変換する。ＩＦアンプ１３２は直交ミキサ１３３の出力を増幅する。ミキサ１３１は、ＩＦアンプ１３２の出力する信号の周波数を上げる。パワーアンプ１３０は、ミキサ１３１の出力を増幅する。
【００３１】
なお、前記シンセサイザ１０３は、通信中に、ミキサ１１１、直交ミキサ１１３、ミキサ１３１、直交ミキサ１３３の同期をとる。タイムベース１５０は、クロック信号を各部に供給する。
【００３２】
ユーザーインターフェース系において、ジョグダイヤル１６４は、ユーザーが回転させることにより入力を行う入力機器である。ＬＣＤ１６５は、ユーザーにメッセージや入力文字などを見せるディスプレイである。なお、ＬＣＤ１６５は、携帯情報端末１を開いているときに見ることができるメインディスプレイと、閉じているときに見ることができるサブディスプレイとを有する。番号キー１６６は、“０”から“９”までの番号や“＃”などを入力するためのキーである。ＬＥＤ１６７は、点灯及び消灯によりユーザーにメッセージを伝えるためのものである。タッチセンサ１６８は、ユーザーの指が接触したことを検出する。なお、タッチセンサ１６８は、ユーザーの指紋を検出するようにしてもよい。バイブレータ１７４は、着信を知らせるデバイスであり、着信すると振動する。
【００３３】
また、電源系電池１７１は、電源１７２及びＡ／Ｄコンバータ１７３に電力を供給する。電源１７２は携帯情報端末１の電源である。Ａ／Ｄコンバータ１７３は、信号をＣＰＵ１６０に供給する。
【００３４】
ＲＡＭ１５２は、ＣＰＵ１６０のワーキングメモリ等として使用され、ＣＰＵ１６０による演算結果を一時的に格納する。なお、本実施形態において、ＲＡＭ１５２は、電子マネー等の価値情報を蓄積する機能を果たす他、乗車駅に関する情報を記憶する乗車駅記憶部及び地域固有文字変換用辞書を蓄積する辞書蓄積部として機能する。ＲＯＭ１５３にはＣＰＵ１６０用のプログラムが記録され、ＣＰＵ１６０からの要求に応じて、プログラムの実行命令を順次出力する。なお、本実施形態において、ＲＯＭ１５３は、標準辞書を蓄積する標準辞書蓄積部として機能する。ＥＥＰＲＯＭ１５１には、短縮ダイヤルなどのユーザーデータや、機体固有のＩＤや電話番号が記録されている。
【００３５】
ＣＰＵ１６０は、上記各部を制御する演算処理装置であり、ＲＯＭ１５３に格納されたプログラムのコマンドを順次実行し、種々の機能を果たす。特に、本実施形態においてＣＰＵ１６０は、上記プログラムを実行することによって、図４（ａ）及び（ｂ）に示すような、データ送受部１６２と、決済処理部１６１と、辞書管理部１６３の機能を果たす。
【００３６】
データ送受部１６２は、上述した非接触通信インターフェース１７５を通じて、改札装置２に対してデータの送受信を行うモジュールである。すなわち、ＲＡＭ１５２内に領域確保された乗車駅記憶部１５２ａから読み出された乗車駅に関する情報を改札装置２に送信し、改札装置２から料金の精算結果や地域固有辞書を受信する。
【００３７】
決済処理部１６１は、降車時において料金の精算を行うモジュールであり、精算時に改札装置２の乗車駅取得部２４ｂからの要求に応じて乗車駅記憶部１５２ａに記憶された乗車駅に関する情報をデータ送受部１６２を通じて送信し、改札装置２の運賃精算部２４ｃで算出された運賃について、ＲＡＭ１５２に記憶された価値情報を更新したり、ネットワークにアクセスして金融機関に対して決済を行ったりする。また、決済処理部１６１は、決済が完了した時点で、その旨の通知を辞書管理部１６３に送出し、辞書管理部１６３に地域固有辞書のダウンロードを実行させる。
【００３８】
辞書管理部１６３は、ＲＡＭ１５２内に領域確保された地域固有辞書蓄積部１５２ｂやＲＯＭ１５３内に領域確保された標準辞書蓄積部１５３ａに対して、データの書き込みや読み込み、削除を行うとともに、各辞書の優先順位の設定などを行う。
【００３９】
この辞書管理部１６３は、図４（ｂ）に詳細に示すように、制御部１６３ａと、辞書書込部１６３ｂと、優先順位変更部１６３ｃと、辞書削除部１６３ｄと、タイマー１６３ｅと、設定部１６３ｆとを備えている。
【００４０】
辞書書込部１６３ｂは、改札装置２からダウンロードされた地域固有辞書を地域固有辞書蓄積部１５２ｂに書き込むモジュールである。この辞書書込部１６３ｂは、設定部１６３ｆにおける設定に応じて、ダウンロードされた地域固有辞書を書き込むか否かを判断する機能を備えており、ユーザーがダウンロードを希望しない場合には、その旨の設定に応じて、地域固有辞書の書き込みを禁止することができる。
【００４１】
優先順位変更部１６３ｃは、地域固有辞書及び標準辞書のいずれを優先的に使用するかの優先度を各辞書蓄積部１５２ｂ及び１５３ａに定義するモジュールである。タイマー１６３ｅは、改札装置２から地域固有辞書が取得された時点からの経過時間を計測するモジュールである。このタイマー１６３ｅによる計測結果に応じて、優先順位変更部１６３ｃは、所定時間以上経過した地域固有辞書の優先度を低くする。
【００４２】
辞書削除部１６３ｄは、優先順位変更部１６３ｃにより定義された優先度に応じて、地域固有文字変換用辞書を地域固有辞書蓄積部１５２ｂから削除するモジュールである。すなわち、この辞書削除部１６３ｄは、所定の閾値以下の優先度が定義された辞書を削除するものであり、設定部１６３ｆにおけるユーザー設定に応じて、優先順位変更部１６３ｃで不要な辞書に閾値以下の優先度を設定することにより、辞書削除部１６３ｄにより削除することができる。
【００４３】
設定部１６３ｆは、番号キー１６６やタッチセンサ１６８等の操作デバイスが接続されており、ユーザー操作に応じて各種の設定を行うモジュールである。この設定としては、辞書書込部１６３ｂにおける辞書書込の可否の設定や、地域固有辞書又は標準辞書のいずれを優先的に使用するかの優先度の設定、どの程度の優先度の低下で地域固有辞書の削除を実行するかの設定、ダウンロードしてからどの程度の時間（時間、日数、週数等）が経過したら優先度を低下若しくは辞書の削除を行うかの設定等がある。
【００４４】
制御部１６３ａは、上記各部１６３ｂ〜１６３ｅの動作を制御するモジュールである。この制御に際し、設定部１６３ｆの設定を読み出し、ユーザー設定に応じた制御を行う。
【００４５】
なお、本発明は、上述した構成に限定されるものではなく、以下のような変更を適宜加えることができる。
【００４６】
例えば、図５に示すように、携帯情報端末１にＧＰＳ（Global Positioning System）１６９等、当該携帯情報端末１の現在位置を取得する位置情報取得手段と、地域固有辞書をダウンロードした降車駅の改札装置２の位置情報とＧＰＳ１６９が取得した現在位置とを比較する位置確認部１６３ｇとを設けて、位置確認部１６３ｇによる比較結果に応じて、現在位置が、降車駅の改札装置２の位置から所定距離以上離れていた場合に、優先順位変更部１６３ｃにより当該地域固有辞書の優先度を低くするようにしてもよい。
【００４７】
この場合には、地域固有辞書のダウンロードサービスを実施していない、他の交通機関を利用しユーザーが移動したときであっても、使用しなくなった地域固有の文字変換用辞書の優先度を低下させたり、削除することにより、ユーザーが意図しない文字変換が実行されるのを防止することができる。
【００４８】
（交通運賃精算システムの動作）
以上説明した構成を有する交通運賃精算システムの動作について説明する。なお、ここでは、図１（ａ）に示すように、携帯情報端末１を使用するユーザーが、東京駅から乗車し、大阪駅で降車する場合を例に説明する。
【００４９】
先ず、大阪駅に設置された改札装置２の辞書蓄積部２４ｆに、大阪特有の方言、訛りなどの言い回しを含めた地域固有辞書（大阪弁）を蓄積しておく。そして、ユーザーが東京駅の改札を通過する際に、乗車処理が行われ、携帯情報端末１の乗車駅記憶部１５２ａに乗車駅に関する情報として、東京駅の駅識別子が記憶される。
【００５０】
次いで、ユーザーが大阪駅に到着し、大阪駅の改札を通過する。このとき、大阪駅の改札装置２との間で降車処理が実行される。具体的には、携帯情報端末１の決済処理部１６１において、改札装置２の乗車駅取得部２４ｂからの要求に応じて乗車駅記憶部１５２ａに記憶された乗車駅に関する情報（東京駅の識別子）をデータ送受部１６２を通じて送信する。
【００５１】
これを受けて、改札装置２側では、運賃精算部２４ｃにより、乗車駅取得部２４ｂが取得した東京駅の駅識別子と、当該改札装置２が設置されている大阪駅の識別子とに基づいて、料金データベース２４ｄを参照して料金を算出し、携帯情報端末１側に通知する。このとき、運賃精算部２４ｃは、携帯情報端末１への運賃の通知と同時に、運賃の算出が完了した旨の通知を辞書書込部２４ｅに出力する。
【００５２】
一方、携帯情報端末１側では、算出された運賃について、ＲＡＭ１５２に記憶された価値情報を更新したり、ネットワークにアクセスして金融機関に対して決済を行ったりした後、決済が完了した旨の通知を辞書管理部１６３に送出し、辞書管理部１６３に地域固有辞書のダウンロードを実行させる。ダウンロードされた地域固有辞書は、携帯情報端末１のＲＡＭ１５２に書き込まれる。
【００５３】
その後、改札を通過した携帯情報端末１では、ＲＯＭ１５３に書かれている標準辞書ではなく、ＲＡＭ１５２に蓄積された大阪弁の変換辞書を用いて文書を作成することが可能となる。
【００５４】
なお、かかる地域固有辞書については、設定部１６３ｆに対してユーザーが任意の設定を行うことによって、ダウンロードされた地域固有辞書をＲＡＭ１５２に書き込むか否かを選択することが可能であり、ユーザーがダウンロードを希望しない場合には、その旨の設定を予めしておくことにより、地域固有辞書の書き込みを禁止することができる。
【００５５】
そして、ユーザーが大阪駅から乗車し、他の駅へ移動した際には、他の駅の改札装置において、その地域固有の辞書がダウンロードされる。また、このような地域固有辞書のダウンロードサービスを実施していない駅等で降車した場合であっても、設定部１６３ｆに対して、ダウンロードされた地域固有辞書又はデフォルトで備えられている標準辞書のいずれを優先的に使用するかの優先度の設定、どの程度の優先度の低下で地域固有辞書の削除を実行するかの設定、ダウンロードしてからどの程度の時間（時間、日数、週数等）が経過したら優先度を低下若しくは辞書の削除を行うかの設定を行うことによって、ユーザーのニーズに応じた辞書を用いての入力が可能となる。
【００５６】
（文字入力操作）
図６及び図７に、大阪弁の地域固有辞書を用いた文字入力の手順を示す。なお、本実施形態においては、ユーザーが文章を作成する際、ＬＣＤ１６５に文章入力領域１６５ａと変換候補表示領域１６５ｂとが上下に表示される。
【００５７】
例えば、図６に示すように、ユーザーが文章入力領域１６５ａに変換前の文章Ｔ１として「ありがとう」の文字列を入力し、変換キーに相当する番号キー１０６を押下すると、変換候補表示領域１６５ｂに大阪弁を中心とした変換候補Ｔ２として複数の文章（単語）が表示される。ユーザーは、変換候補Ｔ２の中から任意の文章（単語）を選択し入力を実行することができる。
【００５８】
他の例としては、図７に示すように、ユーザーが文章入力領域１６５ａに変換前の文章Ｔ３として「すごくあつい」の文字列を入力し、変換キーに相当する番号キー１０６を押下すると、変換候補表示領域１６５ｂに大阪弁を中心とした変換候補Ｔ４として複数の文章（単語）が表示される。ユーザーは、変換候補Ｔ４の中から任意のものを選択し、入力を実行することができる。
【００５９】
なお、本実施形態に係る携帯情報端末の文字入力機能には、予測変換辞書機能を追加することも可能である。図８及び図９に、大阪弁の地域固有辞書を用いた予測変換文字入力の手順を示す。
【００６０】
例えば、図８に示すように、ユーザーが文章入力領域１６５ａに予測変換前の文字列Ｔ５として、文字「あ」を入力すると、変換候補表示領域１６５ｂに、大阪弁を中心とした「あ」に連結されると予想される複数の文字列が予測変換候補Ｔ６として表示される。ユーザーは、予測変換候補Ｔ６の中から任意のものを選択し、入力を実行することができる。
【００６１】
また、他の例としては、図９に示すように、ユーザーが文章入力領域１６５ａに予測変換前の文字列Ｔ７として文字「し」を入力すると、変換候補表示領域１６５ｂに大阪弁を中心とした予測変換候補Ｔ８が表示される。ユーザーは、予測変換候補Ｔ８の中からから任意のものを選択して入力を実行することができる。
【００６２】
（交通運賃精算システムによる作用・効果）
以上説明した本実施形態に係る交通運賃精算システムによれば、乗車時に、改札装置２から取得した乗車駅に関する情報に基づいて、降車時の改札装置２において交通運賃の精算を行うとともに、改札装置２から取得した地域固有辞書を自動的に携帯情報端末１の地域固有辞書蓄積部１５２ｂに保持するため、ユーザーは、降車時の精算処理とともに、降車した駅等が属する地域特有辞書を自動的に取得することができ、降車した地域固有の表現を用いた文字入力が可能となる。
【００６３】
また、本実施形態においては、優先順位変更部１６３ｃによって地域固有辞書及び標準辞書のいずれを優先的に使用するかの優先度を設定することができ、また辞書削除部１６３ｄによって優先度の低い辞書を削除するようにしたため、自動的に地域固有の文字変換用辞書を取得した場合であっても、ユーザーの要請に応じて、標準的な辞書を優先的に使用するように設定したり、不要な辞書を削除したりすることが可能となり、ユーザーのニーズに適切に対応した文字入力を実現することができるとともに、不要な文字変換用辞書が携帯情報端末１内に蓄積されるのを回避することができる。
【００６４】
さらには、タイマー１６３ｅにより、ダウンロードから経過した時間を測定し、優先順位変更部１６３ｃや辞書削除部１６３ｄにより、辞書の優先度を低くしたり削除したりするため、辞書ダウンロードサービスを行っていない他の交通機関等によりユーザーが移動した場合であっても、時間経過とともに使用しなくなった地域固有辞書の優先度を低下させたり、削除したりすることにより、ユーザーが意図しない文字変換が実行されるのを防止することができる。
【図面の簡単な説明】
【００６５】
【図１】実施形態に係る交通運賃精算システムの概要を示す説明図である。
【図２】実施形態に係る改札装置の内部構成を示す機能ブロック図である。
【図３】実施形態に係る携帯通信端末の内部構成を示すブロック図である。
【図４】実施形態に係る携帯情報端末のＣＰＵ内に構成される機能のブロック図である。
【図５】変更例に係る携帯情報端末のＣＰＵ内に構成される機能のブロック図である。
【図６】実施形態において地域固有辞書を用いた文字入力の手順を示す説明図である。
【図７】実施形態において地域固有辞書を用いた文字入力の手順を示す説明図である。
【図８】実施形態において地域固有辞書を用いた予測変換による文字入力の手順を示す説明図である。
【図９】実施形態において地域固有辞書を用いた予測変換による文字入力の手順を示す説明図である。
【符号の説明】
【００６６】
Ｔ１，Ｔ３…文章、Ｔ２，Ｔ４…変換候補、Ｔ５，Ｔ７…文字列、Ｔ６，Ｔ８…予測変換候補、１…携帯情報端末、２…改札装置、２１…認証部、２２…通信接続部、２３…乗車処理部、２４…降車処理部、２４ａ…データ送受部、２４ｂ…乗車駅取得部、２４ｃ…運賃精算部、２４ｄ…料金データベース、２４ｅ…辞書書込部、２４ｆ…辞書蓄積部、１０１…アンテナ、１０２…デュプレクサ、１０３…シンセサイザ、１０６…番号キー、１１０…低ノイズアンプ、１１１…ミキサ、１１２…ＩＦアンプ、１１３…直交ミキサ、１１４…Ａ／Ｄコンバータ、１１５…復調器、１１６…チャネルデコーダ、１１７…音声デコーダ、１１８…Ｄ／Ａコンバータ、１１９…アンプ、１２０…スピーカ、１３０…パワーアンプ、１３１…ミキサ、１３２…ＩＦアンプ、１３３…直交ミキサ、１３４…Ｄ／Ａコンバータ、１３５…変調器、１３６…チャネルエンコーダ、１３７…音声エンコーダ、１３８…Ａ／Ｄコンバータ、１３９…アンプ、１４０…マイク、１５０…タイムベース、１５１…ＥＥＰＲＯＭ、１５２…ＲＡＭ、１５２ａ…乗車駅記憶部、１５２ｂ…地域固有辞書蓄積部、１５３…ＲＯＭ、１５３ａ…標準辞書蓄積部、１６０…ＣＰＵ、１６１…決済処理部、１６２…データ送受部、１６３…辞書管理部、１６３ａ…制御部、１６３ｂ…辞書書込部、１６３ｃ…優先順位変更部、１６３ｄ…辞書削除部、１６３ｅ…タイマー、１６３ｆ…設定部、１６３ｇ…位置確認部、１６４…ジョグダイヤル、１６５…ＬＣＤ、１６５ａ…文章入力領域、１６５ｂ…変換候補表示領域、１６６…番号キー、１６７…ＬＥＤ、１６８…タッチセンサ、１６９…ＧＰＳ、１７１…電源系電池、１７２…電源、１７３…Ａ／Ｄコンバータ、１７４…バイブレータ、１７５…非接触通信インターフェース
【図２】
2005346234.tif 000003
【図３】
2005346234.tif 000004
【図４】
2005346234.tif 000005
【図５】
2005346234.tif 000006
【図６】
2005346234.tif 000007
【図７】
2005346234.tif 000008
【図８】
2005346234.tif 000009
【図９】
2005346234.tif 000010
【図１】
2005346234.tif 000011